(57)【要約】【課題】「Ｔｉｍｅ-Ｓｗｉｔｃｈｅｄ  ＵＬ  ＣＡ」が行われる場合で、かつ、同一のＴＴＩにおいて、複数のＣＣを用いた上りリンク情報の送信がスケジューリングされた場合であっても、適切な処理を行うこと。【解決手段】本発明に係る移動局ＵＥは、ＴＴＩ＃ｘにおいて移動局ＵＥ宛てのＰＤＣＣＨを介して割り当てられたＣＣを用いて、ＴＴＩ＃ｘ＋４において、上りリンク情報を送信するように構成されているＵＬ送信処理部１１を具備しており、ＵＬ送信処理部１１は、各ＴＴＩにおいて、１つのＣＣのみを用いて、上りリンク情報を送信するように構成されており、ＴＴＩ＃ｘにおいて、複数のＣＣが割り当てられた場合、ＵＬ送信処理部１１は、割り当てられた複数のＣＣの各々を用いて送信すべき上りリンク情報に対応する優先度に基づいて、ＴＴＩ＃ｘ＋４において送信すべき上りリンク情報を選択するように構成されている。【選択図】図３
2014023056.tif 000002
【特許請求の範囲】
【請求項１】
無線基地局との間の上りリンクにおいて、複数のコンポーネントキャリアを用いたキャリアアグリゲーションを行うことができるように構成されている移動局であって、
送信時間間隔において、上りリンク情報を送信するように構成されている上りリンク送信処理部を具備しており、
前記上りリンク送信処理部は、各送信時間間隔において、１つのコンポーネントキャリアのみを用いて、上りリンク情報を送信するように構成されており、
複数のコンポーネントキャリアで上りリンク情報の送信がトリガされた場合、前記上りリンク送信処理部は、前記上りリンク情報の送信がトリガされた該複数のコンポーネントキャリアの各々を用いて送信すべき上りリンク情報に対応する優先度に基づいて、前記送信時間間隔において送信すべき上りリンク情報を選択するように構成されていることを特徴とする移動局。
【請求項２】
前記上りリンク送信処理部は、前記送信時間間隔において送信すべき上りリンク情報として選択されなかった上りリンク情報について破棄することなく保持するように構成されていることを特徴とする請求項１に記載の移動局。
【請求項３】
前記上りリンク情報は、上りリンク制御情報及び上りリンクデータを含み、
前記上りリンク制御情報に対応する優先度は、前記上りリンクデータに対応する優先度よりも高くなるように構成されていることを特徴とする請求項１又は２に記載の移動局。
【請求項４】
前記上りリンク情報は、プライマリセルにおける上りリンク情報及びセカンダリセルにおける上りリンク情報を含み、
前記プライマリセルにおける上りリンク情報に対応する優先度は、前記セカンダリセルにおける上りリンク情報に対応する優先度よりも高くなるように構成されていることを特徴とする請求項１又は２に記載の移動局。
【請求項５】
前記上りリンク情報は、新規の上りリンクデータ及び再送の上りリンクデータを含み、
前記再送の上りリンクデータに対応する優先度は、前記新規の上りリンクデータに対応する優先度よりも高くなるように構成されていることを特徴とする請求項１又は２に記載の移動局。
【請求項６】
前記上りリンク情報は、前記移動局によって自律的に送信される上りリンク情報及び前記無線基地局によって指示されて送信する上りリンク情報を含み、
前記無線基地局によって指示されて送信する上りリンク情報に対応する優先度は、前記移動局によって自律的に送信される上りリンク情報に対応する優先度よりも高くなるように構成されていることを特徴とする請求項１又は２に記載の移動局。
【請求項７】
前記上りリンク情報は、周期的に送信される上りリンク情報及び非周期的に送信される上りリンク情報を含み、
前記非周期的に送信される上りリンク情報に対応する優先度は、前記周期的に送信される上りリンク情報に対応する優先度よりも高くなるように構成されていることを特徴とする請求項１又は２に記載の移動局。
【発明の詳細な説明】
【技術分野】
【０００１】
本発明は、移動局に関する。
【背景技術】
【０００２】
ＬＴＥ（Ｌｏｎｇ  Ｔｅｒｍ  Ｅｖｏｌｕｔｉｏｎ）-Ａｄｖａｎｃｅ方式の移動通信システムでは、複数のＣＣ（Ｃｏｍｐｏｎｅｎｔ  Ｃａｒｒｉｅｒ、コンポーネントキャリア）を用いて上りリンク情報を送信する「Ｕｐｌｉｎｋ  ＣＡ（Ｃａｒｒｉｅｒ  Ａｇｇｒｅｇａｔｉｏｎ）」を行うことができるように構成されている。
【０００３】
しかしながら、従来のＦＤＤシステムを実現するための無線構成では、同一のバンド内の上りリンク帯域から下りリンク帯域への漏れ込みを抑圧するために、Ｄｕｐｌｅｘｅｒが挿入される。
【０００４】
一方で、「Ｉｎｔｅｒ-ｂａｎｄ  ＣＡ」においては、異なるバンドで送信された上りリンク帯域から信号が、自帯域の下りリンク帯域漏れ込みが発生してしまう。その漏れ込みを抑圧するために、一般的には、Ｄｉｐｌｅｘｅｒを追加で挿入することが検討されている。
【０００５】
例えば、バンド＃Ａ/＃Ｂ内の上りリンク帯域から下りリンク帯域への信号（図５における実線）は、その漏れ込みを抑圧するためにＤｕｐｌｅｘｅｒ＃Ａ/＃Ｂが挿入される。
【０００６】
加えて、バンド＃Ａ/＃Ｂ内の上りリンク帯域からバンド＃Ｂ/＃Ａ内の下りリンク帯域へ漏れ込む信号（図５における点線）に関しては、同様に、Ｄｉｐｌｅｘｅｒを挿入することで、漏れ込む信号を抑圧することができる。
【０００７】
しかしながら、異なるバンド間での上りリンク帯域から下りリンク帯域へのＤｉｐｌｅｘｅｒを経由しての信号の漏れ込みに対しては、複数の上りリンク帯域からの信号が発生した場合に関しては何ら対策が講じられていない。
【０００８】
特に、そのために発生する送信スプリアスや受信感度の劣化や送信電力の低減等が発生してしまうという問題点があった。
【０００９】
かかる問題点を解決するために、「Ｔｉｍｅ-Ｓｗｉｔｃｈｅｄ（ＴＳ） ＵＬ  ＣＡ」という手法が規定されている（例えば、非特許文献２参照）。
【００１０】
「Ｔｉｍｅ-Ｓｗｉｔｃｈｅｄ  ＵＬ  ＣＡ」を行う移動局ＵＥは、各ＴＴＩ（Ｔｒａｎｓｍｉｓｓｉｏｎ  Ｔｉｍｅ  Ｉｎｔｅｒｖａｌ、送信時間間隔）において、１つのＣＣのみからしか、上りリンク情報を送信することができないという制約を受けるように構成されている。
【００１１】
図６に示すように、「Ｔｉｍｅ-Ｓｗｉｔｃｈｅｄ  ＵＬ  ＣＡ」を行う移動局ＵＥは、ＴＴＩごとに、上りリンク情報の送信に用いるＣＣを切り替えるように構成されている。
【００１２】
ここで、実際には、上りリンク情報の送信に用いるＣＣを切り替えるための「ｓｗｉｔｃｈｉｎｇ  ｐｅｒｉｏｄ」が必要となる。なお、かかる「ｓｗｉｔｃｈｉｎｇ  ｐｅｒｉｏｄ」は、１ＴＴＩ（１ｍｓ）よりも長くなる可能性がある。
【先行技術文献】
【非特許文献】
【００１３】
【非特許文献１】３ＧＰＰ  ＴＳ３６.３００
【非特許文献２】３ＧＰＰ  Ｒ４-１２１５５９
【発明の概要】
【発明が解決しようとする課題】
【００１４】
しかしながら、上述のような「Ｔｉｍｅ-Ｓｗｉｔｃｈｅｄ  ＵＬ  ＣＡ」が行われる場合、以下のような問題点が発生する可能性がある（図７参照）。
【００１５】
図７に示すように、移動局ＵＥが、ＴＴＩ＃ｎにおいて、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介してＣＣ＃１における上りリンク情報の送信についてのスケジューリング情報及びＣＣ＃２における上りリンク情報の送信についてのスケジューリング情報の両方を取得した場合、無線基地局ｅＮＢは、ＴＴＩ＃ｎ＋４において、移動局ＵＥが、ＣＣ＃１及びＣＣ＃２のいずれを介して上りリンク情報を送信してくるのかが分からないため、正常な受信処理を行うことができない、或いは、上りリンクにおける干渉が発生してしまうという問題点があった。
【００１６】
そこで、本発明は、上述の課題に鑑みてなされたものであり、「Ｔｉｍｅ-Ｓｗｉｔｃｈｅｄ  ＵＬ  ＣＡ」が行われる場合で、かつ、同一のＴＴＩにおいて、複数のＣＣを用いた上りリンク情報の送信がスケジューリングされた場合であっても、適切な処理を行うことができる移動局を提供することを目的とする。
【課題を解決するための手段】
【００１７】
本発明の第１の特徴は、無線基地局との間の上りリンクにおいて、複数のコンポーネントキャリアを用いたキャリアアグリゲーションを行うことができるように構成されている移動局であって、送信時間間隔において、上りリンク情報を送信するように構成されている上りリンク送信処理部を具備しており、前記上りリンク送信処理部は、各送信時間間隔において、１つのコンポーネントキャリアのみを用いて、上りリンク情報を送信するように構成されており、複数のコンポーネントキャリアで上りリンク情報の送信がトリガされた場合、前記上りリンク送信処理部は、前記上りリンク情報の送信がトリガされた該複数のコンポーネントキャリアの各々を用いて送信すべき上りリンク情報に対応する優先度に基づいて、前記第２送信時間間隔において送信すべき上りリンク情報を選択するように構成されていることを要旨とする。
【発明の効果】
【００１８】
以上説明したように、本発明によれば、「Ｔｉｍｅ-Ｓｗｉｔｃｈｅｄ  ＵＬ  ＣＡ」が行われる場合で、かつ、同一のＴＴＩにおいて、複数のＣＣを用いた上りリンク情報の送信がスケジューリングされた場合であっても、適切な処理を行うことができる移動局を提供することができる。
【図面の簡単な説明】
【００１９】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を説明するための図である。
【図４】本発明の第１の実施形態に係る移動局の動作を示すフローチャートである。
【図５】従来の移動通信システムについて説明するための図である。
【図６】従来の移動通信システムについて説明するための図である。
【図７】従来の移動通信システムの問題点について説明するための図である。
【発明を実施するための形態】
【００２０】
（本発明の第１の実施形態に係る移動通信システム）
図１乃至図４を参照して、本発明の第１の実施形態に係る移動通信システムについて説明する。
【００２１】
本実施形態では、ＬＴＥ-Ａｄｖａｎｃｅｄ方式の移動通信システムを例に挙げて説明するが、本発明は、かかる移動通信システムに限定されず、他の方式の移動通信システムにも適用可能である。
【００２２】
図１に示すように、本実施形態に係る移動通信システムは、ＣＣ＃１及びＣＣ＃２を管理する無線基地局ｅＮＢ＃２と、移動局ＵＥとを具備している。
【００２３】
本実施形態に係る移動通信システムでは、移動局ＵＥは、無線基地局ｅＮＢとの間の上りリンクにおいて、ＣＣ＃１及びＣＣ＃２を用いたＣＡ、より具体的には、「Ｉｎｔｅｒ-ｂａｎｄ  ＣＡ」を行うことができるように構成されている。
【００２４】
図２に示すように、移動局ＵＥは、ＵＬ送信処理部１１と、ＣＣ管理部１２と、ＲＦ管理部１３と、ＵＬ送信部１４と、ＤＬ受信部１５とを具備している。
【００２５】
ＵＬ送信処理部１１は、無線基地局ｅＮＢによってＴＴＩ＃ｘにおいて移動局ＵＥ宛てのＰＤＣＣＨを介して割り当てられた（スケジューリング又はトリガされた）ＣＣを用いて、ＴＴＩ＃ｘに対応するＴＴＩ＃ｘ＋４において、上りリンク情報を送信するように構成されている。
【００２６】
なお、移動局ＵＥが、「Ｔｉｍｅ-Ｓｗｉｔｃｈｅｄ  ＵＬ  ＣＡ」を行っている場合、ＵＬ送信処理部１１は、各ＴＴＩにおいて、１つのＣＣのみを用いて、上りリンク情報を送信するように構成されている。
【００２７】
ＣＣ管理部１２は、ＣＡで用いられているＣＣを管理するように構成されており、ＲＦ管理部１３は、「Ｉｎｔｅｒ-ｂａｎｄ  ＣＡ」で用いられているバンドを管理するように構成されている。
【００２８】
ＵＬ送信部１４は、送信機によって構成されており、ＤＬ受信部１５は、受信機によって構成されている。
【００２９】
以下、図３を参照して、本実施形態に係るＵＬ送信処理部１１の動作について説明する。
【００３０】
図３に示すように、ＵＬ送信処理部１１は、ＴＴＩ＃ｎにおいて、ＰＤＣＣＨを介して、ＣＣ＃１における上りリンク情報＃１の送信についてのスケジューリング情報及びＣＣ＃２における上りリンク情報＃２の送信についてのスケジューリング情報を取得した場合、上りリンク情報＃１/＃２に対応する優先度に基づいて、ＴＴＩ＃ｎ＋４において送信すべき上りリンク情報を選択するように構成されている。
【００３１】
ここで、上述の上りリンク情報は、上りリンク制御情報及び上りリンクデータを含み、上りリンク制御情報に対応する優先度は、上りリンクデータに対応する優先度よりも高くなるように構成されていてもよい。
【００３２】
すなわち、ＵＬ送信処理部１１は、ＴＴＩ＃ｎにおいて、ＰＤＣＣＨを介して、ＣＣ＃１における上りリンク制御情報（ＰＤＣＣＨ信号）の送信についてのスケジューリング情報及びＣＣ＃２における上りリンクデータ（ＰＤＳＣＨ信号）の送信についてのスケジューリング情報を取得した場合、ＴＴＩ＃ｎ＋４において送信すべき上りリンク情報として、上りリンク制御情報を選択し、ＴＴＩ＃ｎ＋４において、ＣＣ＃１を介して上りリンク制御情報を送信するように構成されていてもよい。
【００３３】
また、上述の上りリンク情報は、Ｐｃｅｌｌにおける上りリンク情報及びＳｃｅｌｌにおける上りリンク情報を含み、Ｐｃｅｌｌにおける上りリンク情報に対応する優先度は、Ｓｃｅｌｌにおける上りリンク情報に対応する優先度よりも高くなるように構成されていてもよい。
【００３４】
すなわち、ＵＬ送信処理部１１は、ＴＴＩ＃ｎにおいて、ＰＤＣＣＨを介して、Ｐｃｅｌｌ（ＣＣ＃１）における上りリンク情報の送信についてのスケジューリング情報及びＳｃｅｌｌ（ＣＣ＃２）における上りリンク情報の送信についてのスケジューリング情報を取得した場合、ＴＴＩ＃ｎ＋４において送信すべき上りリンク情報として、Ｐｃｅｌｌ（ＣＣ＃１）における上りリンク情報を選択し、ＴＴＩ＃ｎ＋４において、Ｐｃｅｌｌ（ＣＣ＃１）を介して上りリンク情報を送信するように構成されていてもよい。
【００３５】
また、上述の上りリンク情報は、新規の上りリンクデータ及び再送の上りリンクデータを含み、再送の上りリンクデータに対応する優先度は、新規の上りリンクデータに対応する優先度よりも高くなるように構成されていてもよい。
【００３６】
すなわち、ＵＬ送信処理部１１は、ＴＴＩ＃ｎにおいて、ＰＤＣＣＨを介して、ＣＣ＃１における新規の上りリンクデータの送信についてのスケジューリング情報及びＣＣ＃２における再送の上りリンクデータの送信についてのスケジューリング情報を取得した場合、ＴＴＩ＃ｎ＋４において送信すべき上りリンク情報として、再送の上りリンクデータを選択し、ＴＴＩ＃ｎ＋４において、ＣＣ＃２を介して再送の上りリンクデータを送信するように構成されていてもよい。
【００３７】
また、上述の上りリンク情報は、移動局ＵＥによって自律的に送信される上りリンク情報及び無線基地局ｅＮＢによって指示されて送信する上りリンク情報を含み、無線基地局ｅＮＢによって指示されて送信する上りリンク情報に対応する優先度は、移動局ＵＥによって自律的に送信される上りリンク情報に対応する優先度よりも高くなるように構成されていてもよい。
【００３８】
すなわち、ＵＬ送信処理部１１は、ＴＴＩ＃ｎにおいて、ＰＤＣＣＨを介して、ＣＣ＃１における移動局ＵＥによって自律的に送信される上りリンク情報の送信についてのスケジューリング情報及びＣＣ＃２における無線基地局ｅＮＢによって指示されて送信する上りリンク情報の送信についてのスケジューリング情報を取得した場合、ＴＴＩ＃ｎ＋４において送信すべき上りリンク情報として、無線基地局ｅＮＢによって指示されて送信する上りリンク情報を選択し、ＴＴＩ＃ｎ＋４において、ＣＣ＃２を介して無線基地局ｅＮＢによって指示されて送信する上りリンク情報を送信するように構成されていてもよい。
【００３９】
ここで、移動局ＵＥによって自律的に送信される上りリンク情報としては、ＣＱＩ（Ｃｈａｎｎｅｌ  Ｑｕａｌｉｔｙ  Ｉｎｄｉｃａｔｏｒ）や、ＳＲＳ（Ｓｏｕｎｄｉｎｇ  Ｒｅｆｅｒｅｎｃｅ  Ｓｉｇｎａｌ）等が想定される。
【００４０】
一方、無線基地局ｅＮＢによって指示されて送信する上りリンク情報には、ＰＤＣＣＨを介してスケジューリングされる上りリンク情報等が想定される。
【００４１】
また、上述の上りリンク情報は、周期的に送信される上りリンク情報及び非周期的に送信される上りリンク情報を含み、非周期的に送信される上りリンク情報に対応する優先度は、周期的に送信される上りリンク情報に対応する優先度よりも高くなるように構成されていてもよい。
【００４２】
すなわち、ＵＬ送信処理部１１は、ＴＴＩ＃ｎにおいて、ＰＤＣＣＨを介して、ＣＣ＃１における周期的に送信される上りリンク情報の送信についてのスケジューリング情報及びＣＣ＃２における非周期的に送信される上りリンク情報の送信についてのスケジューリング情報を取得した場合、ＴＴＩ＃ｎ＋４において送信すべき上りリンク情報として、非周期的に送信される上りリンク情報を選択し、ＴＴＩ＃ｎ＋４において、ＣＣ＃２を介して非周期的に送信される上りリンク情報を送信するように構成されていてもよい。
【００４３】
ここで、周期的に送信される上りリンク情報としては、ＣＱＩや、周期的に送信されるＳＲＳ等が想定される。また、非周期的に送信される上りリンク情報としては、ＲＡＣＨ手順において送信される信号や、非周期的に送信されるＳＲＳや、ＰＵＳＣＨを介して送信される上りリンクデータ等が想定される。
【００４４】
この結果、ＴＴＩ＃ｎ＋４において、ＣＣ＃１及びＣＣ＃２のどちらを用いて上りリンク情報を送信するべきか選択することができる。
【００４５】
ここで、具体的には、ＵＬ送信処理部１１は、ＭＡＣ（Ｍｅｄｉａ  Ａｃｃｅｓｓ  Ｃｏｎｔｒｏｌ）レイヤにおいて、上りリンク情報（ＭＡＣ-ＰＤＵ）を生成し、物理レイヤにおいて、かかる上りリンク情報（ＭＡＣ-ＰＤＵ）を送信しないように構成されていてもよい。
【００４６】
かかる場合であっても、ＵＬ送信処理部１１は、通常通り、後続のＨＡＲＱ再送について実施するように構成されていることが好ましい。
【００４７】
また、ＵＬ送信処理部１１は、ＴＴＩ＃ｘ＋４において送信（選択）されなかった上りリンク情報（ＭＡＣ-ＰＤＵ）について破棄することなく保持するように構成されていてもよい。
【００４８】
なお、ＵＬ送信処理部１１は、かかる上りリンク情報（ＭＡＣ-ＰＤＵ）についてのＰＨＩＣＨ（Ｐｈｙｓｉｃａｌ  Ｈｙｂｒｉｄ-ＡＲＱ  Ｉｎｄｉｃａｔｏｒ  Ｃｈａｎｎｅｌ）を介して送信される送達確認結果や「ＵＬ  ｇｒａｎｔ（Ａｄａｐｔｉｖｅ再送用）」について監視するように構成されている。
【００４９】
以下、図４を参照して、本実施形態に係る移動局ＵＥの動作について説明する。
【００５０】
図４に示すように、移動局ＵＥは、ステップＳ１００１Ａにおいて、上りリンク情報＃Ａの送信がトリガされ、ステップＳ１００１Ｂにおいて、上りリンク情報＃Ｂの送信がトリガされると、すなわち、ＰＤＣＣＨを介して、ＣＣ＃１を介した上りリンク情報＃Ａの送信についてのスケジューリング情報及びＣＣ＃２を介した上りリンク情報＃Ｂの送信についてのスケジューリング情報を取得した場合、ステップＳ１００２において、上りリンク情報＃Ａに対応する優先度＃Ａと上りリンク情報＃Ｂに対応する優先度＃Ｂとを比較する。
【００５１】
上りリンク情報＃Ａに対応する優先度＃Ａが、上りリンク情報＃Ｂに対応する優先度＃Ｂよりも高い場合、ステップＳ１００３において、移動局ＵＥは、ＣＣ＃１を介して上りリンク情報＃Ａの送信を実施し、ＣＣ＃２を介した上りリンク情報＃Ｂの送信を実施しない。
【００５２】
一方、上りリンク情報＃Ｂに対応する優先度＃Ｂが、上りリンク情報＃Ａに対応する優先度＃Ａよりも高い場合、ステップＳ１００４において、移動局ＵＥは、ＣＣ＃２を介して上りリンク情報＃Ｂを送信し、ＣＣ＃１を介した上りリンク情報＃Ａの送信を実施しない。
【００５３】
本実施形態に係る移動通信システムによれば、「Ｔｉｍｅ-Ｓｗｉｔｃｈｅｄ  ＵＬ  ＣＡ」が行われる場合で、かつ、同一のＴＴＩにおいて、複数のＣＣを用いた上りリンク情報の送信がスケジューリングされた場合であっても、適切な処理を行うことができる。
【００５４】
以上に述べた本実施形態の特徴は、以下のように表現されていてもよい。
【００５５】
本実施形態の第１の特徴は、無線基地局ｅＮＢとの間の上りリンクにおいて、複数のＣＣ（コンポーネントキャリア）を用いたＣＡ（キャリアアグリゲーション）を行うことができるように構成されている移動局ＵＥであって、無線基地局ｅＮＢによってＴＴＩ＃ｘ（第１送信時間間隔）において移動局ＵＥ宛てのＰＤＣＣＨ（物理下り制御チャネル）を介して割り当てられたＣＣを用いて、ＴＴＩ＃ｘに対応するＴＴＩ＃ｘ＋４（第２送信時間間隔）において、上りリンク情報を送信するように構成されているＵＬ送信処理部１１（上りリンク送信処理部）を具備しており、ＵＬ送信処理部１１は、各ＴＴＩにおいて、１つのＣＣのみを用いて、上りリンク情報を送信するように構成されており、ＴＴＩ＃ｘにおいて、複数のＣＣが割り当てられた場合、ＵＬ送信処理部１１は、割り当てられた複数のＣＣの各々を用いて送信すべき上りリンク情報に対応する優先度に基づいて、ＴＴＩ＃ｘ＋４において送信すべき上りリンク情報を選択するように構成されていることを要旨とする。
【００５６】
本実施形態の第１の特徴において、ＵＬ送信処理部１１は、ＴＴＩ＃ｘ＋４において送信すべき上りリンク情報として選択されなかった上りリンク情報について破棄することなく保持するように構成されていてもよい。
【００５７】
本実施形態の第１の特徴において、上述の上りリンク情報は、上りリンク制御情報及び上りリンクデータを含み、上りリンク制御情報に対応する優先度は、上りリンクデータに対応する優先度よりも高くなるように構成されていてもよい。
【００５８】
本実施形態の第１の特徴において、上述の上りリンク情報は、Ｐｃｅｌｌ（プライマリセル）における上りリンク情報及びＳｃｅｌｌ（セカンダリセル）における上りリンク情報を含み、Ｐｃｅｌｌにおける上りリンク情報に対応する優先度は、Ｓｃｅｌｌにおける上りリンク情報に対応する優先度よりも高くなるように構成されていてもよい。
【００５９】
本実施形態の第１の特徴において、上述の上りリンク情報は、新規の上りリンクデータ及び再送の上りリンクデータを含み、再送の上りリンクデータに対応する優先度は、新規の上りリンクデータに対応する優先度よりも高くなるように構成されていてもよい。
【００６０】
本実施形態の第１の特徴において、上述の上りリンク情報は、移動局ＵＥによって自律的に送信される上りリンク情報及び無線基地局ｅＮＢによって指示されて送信する上りリンク情報を含み、無線基地局ｅＮＢによって指示されて送信する上りリンク情報に対応する優先度は、移動局ＵＥによって自律的に送信される上りリンク情報に対応する優先度よりも高くなるように構成されていてもよい。
【００６１】
本実施形態の第１の特徴において、上述の上りリンク情報は、周期的に送信される上りリンク情報及び非周期的に送信される上りリンク情報を含み、非周期的に送信される上りリンク情報に対応する優先度は、周期的に送信される上りリンク情報に対応する優先度よりも高くなるように構成されていてもよい。
【００６２】
また、上述の実施形態では、移動局ＵＥ宛てのＰＤＣＣＨによってトリガされた上りリンク情報を例に挙げて説明しているが、本発明は、その他の上りリンク情報の送信、例えば、ＰＤＣＣＨ（物理下り制御チャネル）を介さずに、移動局ＵＥが自律的に送信をトリガする上りリンク情報に対しても適用可能である。
【００６３】
移動局ＵＥが自律的に送信をトリガする上りリンク情報としては、ＰＲＡＣＨ（Ｐｈｙｓｉｃａｌ  Ｒａｎｄｏｍ  Ａｃｃｅｓｓ  Ｃｈａｎｎｅｌを介して送信する上りリンク情報や、ＳＲＳ（Ｓｏｕｎｄｉｎｇ  Ｒｅｆｅｒｅｎｃｅ  Ｓｉｇｎａｌ）や、ＰＵＣＣＨ（Ｐｈｙｉｃａｌ  Ｕｐｌｉｎｋ  Ｃｏｎｔｒｏｌ  Ｃｈａｎｎｅｌ、物理上り制御チャネル）を介して送信する上りリンク情報等が想定される。
【００６４】
すなわち、本実施形態の第１の特徴は、無線基地局ｅＮＢとの間の上りリンクにおいて、複数のＣＣ（コンポーネントキャリア）を用いたＣＡ（キャリアアグリゲーション）を行うことができるように構成されている移動局ＵＥであって、ＴＴＩ＃ｘ＋４（送信時間間隔）において、上りリンク情報を送信するように構成されているＵＬ送信処理部１１を具備しており、ＵＬ送信処理部１１は、各ＴＴＩにおいて、１つのＣＣのみを用いて、上りリンク情報を送信するように構成されており、複数のＣＣで上りリンク情報の送信がトリガされた場合、ＵＬ送信処理部１１は、上りリンク情報の送信がトリガされた複数のＣＣの各々を用いて送信すべき上りリンク情報に対応する優先度に基づいて、ＴＴＩ＃ｘ＋４において送信すべき上りリンク情報を選択するように構成されていることを要旨とする。
【００６５】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００６６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００６８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６９】
ｅＮＢ…無線基地局
ＵＥ…移動局
１１…ＵＬ送信管理部
１２…ＣＣ管理部
１３…ＲＦ管理部
１４…ＵＬ送信部
１５…ＤＬ受信部
【図１】
2014023056.tif 000003
【図２】
2014023056.tif 000004
【図３】
2014023056.tif 000005
【図４】
2014023056.tif 000006
【図５】
2014023056.tif 000007
【図６】
2014023056.tif 000008
【図７】
2014023056.tif 000009